(57)【特許請求の範囲】
【請求項１】
高層建物の排水縦管を洗浄するための排水縦管洗浄装置であって、
先端に高圧水噴出ノズルを備える耐圧ホースと、
前記耐圧ホースに沿って配される直進性支持材と、
前記排水縦管に形成された低層階側の開口部から上層階側に向かって、前記耐圧ホースに前記直進性支持材を配して形成された直進性支持材付耐圧ホースを送り上げる少なくとも一対の送りローラと、
前記耐圧ホースに接続されて、前記高圧水噴出ノズルから高圧水を噴射させるための高圧水洗浄機と、を備えることを特徴とする排水縦管洗浄装置。
【請求項２】
前記直進性支持材は、グラスファイバー，カーボンファイバー，スチールファイバー及びセラミックファイバーから選ばれる少なくとも１種を含む繊維強化プラスチックを含む弾性ロッドである請求項１に記載の排水縦管洗浄装置。
【請求項３】
前記直進性支持材付耐圧ホースは被覆管で被覆されている請求項１または２に記載の排水縦管洗浄装置。
【請求項４】
前記先端近傍に、前記高圧水噴出ノズル付近の映像または画像を撮影するカメラをさらに備える請求項１〜３の何れか１項に記載の排水縦管洗浄装置。
【請求項５】
前記開口部に接続される接続管をさらに備え、
前記直進性支持材付耐圧ホースが、前記接続管を通過して前記低層階側から前記上層階側に向かって送り上げられる請求項１〜４の何れか１項に記載の排水縦管洗浄装置。
【請求項６】
前記接続管は、前記開口部に接続される主路，前記主路から分岐する分岐路及び前記分岐路へ向かって送風するための送風口を備えた分岐管であり、
前記送風口に接続され、前記分岐路に向かって送風するためのブロアーをさらに備え、
前記直進性支持材付耐圧ホースは、前記主路を通過して前記低層階側から前記上層階側に向かって送り上げられる請求項５に記載の排水縦管洗浄装置。
【請求項７】
前記分岐管に接続された固液分離手段をさらに備える請求項６に記載の排水縦管洗浄装置。
【請求項８】
前記接続管の前記直進性支持材付耐圧ホースを送り込む部分に、止水シールをさらに備える請求項５〜７の何れか１項に記載の排水縦管洗浄装置。
【請求項９】
高層建物の排水縦管を洗浄するための排水縦管洗浄方法であって、
前記排水縦管の低層階側に、開口部を形成する工程と、
前記低層階側の開口部から上層階側に向かって、先端に高圧水噴出ノズルを備える耐圧ホースに沿って直進性支持材を配して形成された直進性支持材付耐圧ホースを、前記高圧水噴出ノズルから前記高圧水を噴射させながら、少なくとも一対の送りローラで送り上げる工程と、を備えることを特徴とする排水縦管洗浄方法。
【請求項１０】
高層建物の排水縦管を洗浄するための排水縦管洗浄方法であって、
前記排水縦管の低層階側に、開口部を形成する工程と、
前記開口部に、主路，前記主路から分岐する分岐路及び前記分岐路へ向かって送風するための送風口を備えた分岐管を接続する工程と、
前記開口部から上層階側に向かって、先端に高圧水噴出ノズルを備える耐圧ホースに沿って直進性支持材を配して形成された直進性支持材付耐圧ホースを、前記主路を通過させて前記高圧水噴出ノズルから前記高圧水を噴射させながら送り上げる工程と、
前記送風口から前記分岐路へ向かって送風する工程と、を備えることを特徴とする排水縦管洗浄方法。
【発明の詳細な説明】
【技術分野】
【０００１】
本発明は、集合住宅等の高層建物に設置されている排水縦管を洗浄するための排水縦管洗浄装置及びそれを用いた排水縦管洗浄方法に関する。
【背景技術】
【０００２】
集合住宅等の高層建物の流し台、洗面所、浴室、トイレ等の設備から発生する排水は、各設備の配された室内から通じる横枝管を経て、各階を貫通する共用の排水縦管から汚水槽等に流される。
【０００３】
排水には多量の残渣や油脂等が含まれている。排水縦管の内壁には、排水の通過する時間の経過に伴い、排水中の残渣や油脂等が凝集して形成された固形物であるスラッジ（固形物）が徐々に固着し、管径を徐々に減少させる。スラッジをそのまま放置した場合にはスラッジが成長して排水縦管を閉塞させることもある。このような排水縦管の閉塞を防ぐために、高層建物に設置されている排水縦管は一定期間ごとに清掃される必要がある。
【０００４】
排水縦管を清掃する方法として、高圧水噴出ノズルを先端に取り付けた耐圧ホースを排水縦管内に挿入し、ノズルから噴射される高圧水を排水縦管の内壁に固着したスラッジに当てることにより、スラッジを崩すようにして清掃する方法（以下、単に、高圧洗浄方法とも称する）が広く用いられている。
【０００５】
高圧洗浄方法としては、高層階の排水縦管の開口から高圧水噴出ノズルを挿入し、耐圧ホースをホースリールから徐々に繰り出して、高圧水噴出ノズルから高圧水を噴出させてスラッジを崩しながら低層階に向けて進行させて、高層階側から低層階側に向かって洗浄していく方法が広く用いられている。
【０００６】
図９は、高層階側から低層階側に向かって洗浄していく方法の様子を示す説明図である。高層階側から低層階側に向かって高圧水噴出ノズル２を排水縦管Ｈ内で進行させる方法によれば、高層階側で破壊されたスラッジＳは、洗浄水Ｗとともに、排水縦管Ｈで下向きに落下する。高層階側から低層階側に向かって高圧水噴出ノズル２を排水縦管Ｈ内で進行させる方法の場合、高層階側からスラッジＳを崩していくために、低層階側に成長したスラッジＳが存在するときには、上から落下してきたスラッジＳがその部分に堆積し、閉塞部Ａを形成することがあった。そして、閉塞部Ａが形成された場合、排水縦管Ｈ内から低層階側に水が抜けなくなり、流し台，トイレ，浴室等の部屋に配された排水口Ｂに通じる横枝管Ｒに水が逆流し、排水口Ｂから水があふれ出し、その部屋を汚水で水浸しにする等の被害を発生させることがあった。
【０００７】
上述した方法とは逆に、低層階側から高層階側に向かって排水縦管を洗浄する方法も提案されている。例えば、下記特許文献１は、次のような方法を開示する。まず、高圧水噴出ノズルが先端に取り付けられたホースをビルの屋上から排水管内に挿入し、排水管の最下部まで降ろし、高圧水噴出ノズルから高圧の水を噴射しながらホースを引き上げる方法を開示する。
【０００８】
また、下記特許文献２は、高圧水噴出ノズルを備えたホースを排水管に屋上側から、高圧水噴出ノズルをワイヤーに係止した状態で地面に向かって降ろした後、ワイヤーで上方に引上げながら高圧水を噴射して排水管内を洗浄する洗浄方法において、固形物を除去すると共に、その除去状況をＣＣＤカメラで撮影し、その映像によって確認する排水管の洗浄方法を開示する。
【先行技術文献】
【特許文献】
【０００９】
【特許文献１】特開２００１−３４２６６１号公報
【特許文献２】特開２００２−２７５９８４号公報
【発明の概要】
【発明が解決しようとする課題】
【００１０】
特許文献１や特許文献２に開示されたような、高層階側から高圧水噴出ノズルを一旦低層階側まで降ろした後、低層階側から高層階側に向かって排水縦管を洗浄する方法においては、次のような問題があった。
【００１１】
通常の高層建物は、上述したように排水縦管の閉塞を防ぐために、一定期間ごとに清掃されている。このように、一定期間ごとに清掃されている比較的メンテナンスの行き届いた排水縦管の場合には、排水縦管に付着したスラッジは一定期間ごとに除去されているために、高層階側から高圧水噴出ノズルを一旦低層階側まで降ろすことができる程度の内径を排水縦管は保持している。しかしながら、例えば、築年数が３０年を超えるような老朽化した高層建物において、種々の事情から一定期間ごとに排水縦管が清掃されておらず、メンテナンスの不充分な建物もある。例えば、排水縦管の清掃には、居住している住民宅への立ち入り等の協力が欠かせないが、住民の協力が得られなかった場合には、長期間清掃されていないまま排水縦管の内壁に大量のスラッジが固着している場合があった。このような長期間清掃されずに放置された排水縦管の場合、その内径はスラッジの固着により小さくなっていたり、殆ど閉塞している部分が形成されていたりすることがあった。このような場合、高層階側から高圧水噴出ノズルを低層階側まで降ろすことができなかった。そのために、特許文献１や特許文献２に開示されたような方法は、排水縦管の内壁に大量のスラッジが固着して内径が小さくなっていたり、殆ど閉塞している部分が形成されていたりする排水縦管の清掃には適用することができなかった。
【００１２】
本発明は、高層建物に設置されている排水縦管において、内壁に大量のスラッジが固着して内径が小さくなっているような排水縦管でも洗浄することができる、排水縦管洗浄装置及びそれを用いた排水縦管洗浄方法を提供することを目的とする。
【課題を解決するための手段】
【００１３】
本発明の一局面は、高層建物の排水縦管を洗浄するための排水縦管洗浄装置であって、先端に高圧水噴出ノズルを備える耐圧ホースと、耐圧ホースに沿ってそれを支持するように配される直進性支持材と、排水縦管に形成された低層階側の開口部から上層階側に向かって、耐圧ホースに直進性支持材を配して形成された直進性支持材付耐圧ホースを送り上げる少なくとも一対の送りローラと、耐圧ホースに接続されて、高圧水噴出ノズルから高圧水を噴射させるための高圧水洗浄機と、を備える排水縦管洗浄装置である。このような排水縦管洗浄装置においては、直進性支持材が耐圧ホースを支持するために、耐圧ホースを撓ませないで、高圧水噴出ノズルを排水縦管に形成された低層階側の開口部から上層階側に向かって送り上げることができる。このような排水縦管洗浄装置によれば、高層建物の排水縦管内を低層階側からの作業だけで、低層階側から上層階側に向かって排水縦管を洗浄することができる。直進性支持材としては、例えば、グラスファイバー，カーボンファイバー，スチールファイバー，セラミックファイバー等で補強された繊維強化プラスチックを含む弾性ロッドが好ましく用いられる。
【００１４】
また、排水縦管洗浄装置においては、直進性支持材付耐圧ホースは被覆管で被覆されていることが作業性がよく、また、送りローラで送り上げやすい点から好ましい。
【００１５】
また、排水縦管洗浄装置においては、耐圧ホースの先端近傍に、高圧水噴出ノズル付近の映像または画像を撮影するカメラをさらに備える場合には、作業者がモニター等により映像や画像を見ることにより、高圧水噴出ノズルが到達した部分付近のスラッジの固着状態や洗浄結果等を確認できる点から好ましい。
【００１６】
また、排水縦管洗浄装置においては、排水縦管の低層階側に形成された開口部に接続される接続管をさらに備え、直進性支持材付耐圧ホースが、接続管を通過して低層階側から上層階側に向かって送り上げられることが好ましい。また、とくには、接続管は、開口部に接続される主路，主路から分岐する分岐路及び分岐路へ向かって送風するための送風口を備えた分岐管であり、送風口に接続され、分岐路に向かって送風するためのブロアーをさらに備え、直進性支持材付耐圧ホースは、主路を通過して低層階側から上層階側に向かって送り上げられことが好ましい。このような構成によれば、排水縦管内で落下するスラッジや水を分岐管から排水縦管の外に吹き飛ばすことができる。その結果、排水縦管が落下するスラッジで閉塞する等の問題が解決される。また、分岐管に接続された固液分離手段を備える場合には、排水縦管内で落下したスラッジ及び水の処理が容易になる。さらに主路の分岐管の耐圧ホース及び直進性支持材が挿入される部分は止水構造をさらに備えることが、落下してきた水や崩されたスラッジ等が送りローラ等にぶつかることを防ぐことができる点から好ましい。
【００１７】
また、本発明の他の一局面は、高層建物の排水縦管を洗浄するための排水縦管洗浄方法であって、排水縦管の低層階側に、開口部を形成する工程と、低層階側の開口部から上層階側に向かって、先端に高圧水噴出ノズルを備える耐圧ホースに沿って直進性支持材を配して形成された直進性支持材付耐圧ホースを、高圧水噴出ノズルから高圧水を噴射させながら送り上げる工程と、を備える排水縦管洗浄方法に関する。
【発明の効果】
【００１８】
本発明の排水縦管洗浄装置及びそれを用いた排水縦管洗浄方法によれば、高層建物に設置されている排水縦管において、内壁に大量のスラッジが固着して内径が小さくなっているような排水縦管でも洗浄することができる。
【図面の簡単な説明】
【００１９】
【図１】図１は、実施形態の排水縦管Ｌを洗浄するための、排水縦管洗浄装置２０の全体構成を説明する模式説明図である。
【図２】図２は、耐圧ホース１と直進性支持材４とケーブル５ａとそれらを被覆する被覆管６の、高圧水噴出ノズル２に接続される先端付近を長手方向に断面視した模式断面図である。
【図３】図３は、図２のＩＩ−ＩＩ’断面を断面視したときの模式断面図である。
【図４】図４は、排水縦管洗浄装置２０の送りローラ７付近の部分構成を拡大して示す模式説明図である。
【図５】図５は、排水縦管洗浄装置２０の分岐管８、ブロアー９及び固液分離装置１０付近の部分構成を拡大して示す模式説明図である。
【図６】図６は、低層階側から高層階側に向かって洗浄していくときに生じる問題点を説明する説明図である。
【図７】図７は、排水縦管洗浄方法の一実施形態を説明するための説明図である。
【図８】図８は、他の実施形態の排水縦管洗浄装置３０の全体構成を説明する模式説明図である。
【図９】図９は、従来の、高層階側から低層階側に向かって洗浄していく方法の様子を説明するための説明図である。
【発明を実施するための形態】
【００２０】
本発明に係る排水縦管洗浄装置の一実施形態を図面を参照しながら説明する。
図１は、本発明に係る一実施形態の、排水縦管Ｌを洗浄するための排水縦管洗浄装置２０の全体構成を示す模式説明図である。図１中、１は耐圧ホースであり、２は耐圧ホースの先端に装着された高圧水噴出ノズル２であり、３は耐圧ホース１に接続されて高圧水噴出ノズル２から高圧水を噴射させるための高圧水洗浄機であり、４は耐圧ホース１に沿って配される可撓性を有する直進性支持材であり、５はモニター１１にケーブル５ａで接続されたカメラであり、６は耐圧ホース１と直進性支持材４とケーブル５ａを被覆する被覆管である。カメラ５は、高圧水噴出ノズル２付近の映像または画像を撮影する。また、７は被覆管６で束ねられた耐圧ホース１と直進性支持材４とカメラ５のケーブル５ａとを上方に送り上げる送りローラである。また、８は分岐管８であり、分岐管８は排水縦管Ｌに一端が接続される主路８ａ，主路８ａから分岐する分岐路８ｂ及び分岐路８ｂへ向かって送風するための送風口８ｃ，止水シール材８ｄを備える。９は、送風口８ｃに接続され、分岐路８ｂに向けて送風するためのブロアーである。また、１０は、分岐管８から排出されるスラッジＳ及び水Ｗを固液分離する固液分離装置である。固液分離装置１０は、スラッジＳを捕捉する網１０ａと排水ポンプ１０ｂとを備える。１３は、被覆管６で束ねられた耐圧ホース１と直進性支持材４とカメラ５のケーブル５ａとを巻回させてまとめるためのホースリールである。
【００２１】
図２は、耐圧ホース１と直進性支持材４とケーブル５ａとそれらを被覆する被覆管６の、高圧水噴出ノズル２に接続される先端付近を長手方向に断面視した模式断面図である。また、図３は、図２のＩＩ−ＩＩ’断面を断面視したときの模式断面図である。
【００２２】
図２及び図３に示すように、耐圧ホース１と直進性支持材４とケーブル５ａとは、それらをまとめて束ねるように被覆管６で被覆されている。図３に示すように、被覆管６の内部には空隙Ｇが形成される。図３に示すように、被覆管６の先端は耐圧ホース１とカメラ５とを外部に導出させるようにして封止蓋１４で閉じることにより、被覆管６の内部に水や崩したスラッジの破片が侵入することを防いでいる。
【００２３】
本実施形態における直進性支持材とは、弾性ロッドまたは弾性管のような、巻回可能な可撓性と巻回状態から解放したときに直進性を有する線状または管状の部材である。このような直進性支持材は、可撓性を有するために作業現場へ巻回した状態で運搬することができるとともに、排水縦管に撓ませながら入線させた後は、排水縦管内で直線状に伸びる。このような直進性支持材としては、弾性ロッドが特に好ましく用いられる。弾性ロッドの具体例としては、例えば、グラスファイバー，カーボンファイバー，スチールファイバー，セラミックファイバー等で補強された繊維強化プラスチックを主体とし、１〜１５ｍｍ、さらには３〜１０ｍｍ程度の直径を有するようなロッドが好ましく用いられる。このような弾性ロッドの市販品としては、例えば、株式会社マーベル性のスーパーイエロー、スーパースネーク等が挙げられる。また、弾性管としては、アルミニウム管の内層と外層をポリエチレン等の樹脂で被覆したアルミニウム三層管等が挙げられる。
【００２４】
耐圧ホースを支持する直進性支持材の本数は、１本以上であれば特に限定されず、直進性支持材の特性や作業する排水縦管の長さ等により適宜選択される。具体的には、高層建物が高ければ高いほど、耐圧ホースを支持するための直進性支持材の剛性が求められるために、高い高層建物の排水縦管を清掃する場合には、例えば２〜４本、さらには２〜３本程度であることが好ましい。
【００２５】
また、被覆管は、耐圧ホース１と直進性支持材４とをまとめて束ねることができ、束ねた状態で巻回可能なものである限り、特に限定されない。その素材としては、ゴム、軟質プラスチック等が挙げられる。また、本実施形態においては、耐圧ホース１と直進性支持材４とケーブル５ａとを被覆管６で被覆して束ねたが、被覆管６で被覆する代わりに、耐圧ホース１の長手方向の一定長さ毎にテープ等で固定して束ねる等、直進性支持材を耐圧ホース１に沿って支持するように配する方法は特に限定されない。また、アルミニウム三層管は、直進性支持材と被覆管の機能を兼ね備えることもできる。
【００２６】
図４は、排水縦管洗浄装置２０の、被覆管６で束ねられた耐圧ホース１と直進性支持材４とカメラ５のケーブル５ａとを送り上げる送りローラ７付近の部分構成を拡大して示す模式説明図である。図４に示すように、排水縦管洗浄装置２０には、４組の送りローラ７が配設されている。各組の送りローラ７を形成するローラは、耐圧ホース１と直進性支持材４とカメラ５のケーブル５ａとを上方に送り出すように、一方が時計回り、他方が反時計回りに回転している。送りローラ７は、排水縦管Ｌ内において、低層階側から上層階側に向かって、耐圧ホース１と直進性支持材４とカメラ５のケーブル５ａとを挟持しながら送り上げる。送りローラ７の駆動機構は特に限定されない。例えば、送りローラ７に駆動力を与えるための、人がハンドルを回すことにより回転力を与えるハンドルを有する巻き上げギア機構や、電動モータで回転力を与える等、駆動力が供給されるものであれば、特に限定されない。
【００２７】
図５は、排水縦管洗浄装置２０の分岐管８、ブロアー９及び固液分離装置１０付近の部分構成を拡大して示す模式説明図である。また、図５中の破線の円で囲った部分は高圧水噴射ホース１等を送り込む部分を止水シール材８ｄでシールしている様子を示す説明図である。図５に示すように、排水縦管洗浄装置２０は、排水縦管Ｌに一端が接続される主路８ａ，主路８ａから分岐する分岐路８ｂ及び分岐路８ｂへ向かって送風するための送風口８ｃを備える分岐管８が配置されている。また、分岐管８の送風口８ｃには、分岐路８ｂに向かって送風するためのブロアー９が接続されている。また、分岐管８の分岐路８ｂには、網１０ａ及び排水ポンプ１０ｂを備えた固液分離装置１０が接続されている。図５に示す構造は、以下に説明するような、低層階側から高層階側に向かって洗浄していくときに生じる問題点を解決するために任意に設けられる。
【００２８】
例えば、図６に示すように、低層階側から高層階側に高圧水噴射ホース１を排水縦管Ｈを進行させる方法によれば、低層階側で破壊されたスラッジＳは、洗浄水Ｗとともに、排水縦管Ｈ内を下向きに落下する。このような場合、低層階側からスラッジＳを崩していくために、上から落下してきたスラッジＳが排水縦管Ｈ内の高圧水噴射ホース１を送り込む部分に堆積して堆積部Ｃが形成されることがあった。そして、堆積部Ｃが形成された場合、高圧水噴射ホース１をさらに送り込むことが困難になる。また、排水縦管Ｈ内から水が排水されない場合には、低層階の各設備の配された室内へ通じる横枝管に逆流して部屋の配管から水をあふれ出すおそれがある。
【００２９】
図５に示す構造は、上述した問題を解決するために用いられる。このような構造を設けることにより、次のような効果が奏される。すなわち、高圧水噴出ノズル２から高圧水を噴射させて排水縦管Ｌ内のスラッジＳを破壊したとき、図５に示すように、排水縦管Ｌ内をスラッジＳ及び水Ｗが落下してくる。このとき、止水シール材８ｄにより高圧水噴射ホース１を送り込む部分をシールすることにより、落下してきたスラッジＳ及び水Ｗが分岐管８の直下に漏出することを抑制できる。さらに、ブロアー９を用いて、分岐管８の送風口８ｃから分岐路８ｂへ向けて風の流れを作ることにより、落下してきたスラッジＳ及び水Ｗは分岐管８側に吹き飛ばされる。従って、排水縦管Ｌの管内からスラッジＳ及び水Ｗを外部に排出できる。
【００３０】
また、図５に示すような構造においては、分岐路８ｂの一端には、網１０ａ及び排水ポンプ１０ｂを備えた固液分離装置１０が接続されている。このような固液分離装置１０を配設することにより、分岐路８ｂから排出されたスラッジＳと水Ｗを分離することができる。そして、固液分離装置１０で分離された水Ｗはそのまま既設の排水縦管や排水横管１２等に排出することができる。また、固液分離装置１０で分離されたスラッジＳは回収した後、産業廃棄物として簡単に処理することができる。
【００３１】
次に、上述したような排水縦管洗浄装置２０を用いた排水縦管洗浄方法の一実施形態について図面を参照しながら説明する。
【００３２】
図７は、本発明に係る排水縦管洗浄方法の一実施形態を説明するための説明図である。本実施形態の排水縦管洗浄方法においては、はじめに、排水縦管洗浄装置２０を設置する。具体的には、高層建物の洗浄される排水縦管Ｌの周囲に排水縦管洗浄装置２０を配置する。そして、低層階、好ましくは１階で排水縦管Ｌを切断する。そして、排水縦管Ｌの切断により形成された開口部と、排水縦管洗浄装置２０の分岐管８とをカップリング継手８ｅ等を用いて接続する。このとき、耐圧ホース１の先端に装着された高圧水噴出ノズル２及びカメラ５を排水縦管Ｌの根元に侵入させておく。
【００３３】
そして、図４を参照して説明したように、送りローラ７に被覆管６で束ねられた耐圧ホース１と直進性支持材４とカメラ５のケーブル５ａを挟持させ、送りローラ７を回転させることにより、排水縦管Ｌ内において、それらを低層階側から上層階側に向かって送り上げる。ホースリール１３から、被覆管６で束ねられた耐圧ホース１と直進性支持材４とカメラ５のケーブル５ａが順次繰り出される。
【００３４】
このとき、被覆管６で束ねられた耐圧ホース１と直進性支持材４とカメラ５のケーブル５ａを送り出す際に、高圧水洗浄機３から高圧水を送ることにより、高圧水噴出ノズル２から高圧水を噴射させる。なお、高圧水噴出ノズル２が、図７の高圧水噴出ノズル２付近の拡大図に示すように、進行方向に対して逆方向に高圧水を噴射する逆噴射ノズルである場合には、管内で逆噴射による進行方向への推進力が発生するために、低層階側から上層階側に向かって送りやすくなる。
【００３５】
そして、図７に示すように、１階（１Ｆ）から、２Ｆ、３Ｆ・・・と、排水縦管Ｌ内において、耐圧ホース１と直進性支持材４とカメラ５のケーブル５ａを送りローラ７に挟持させ、低層階側から上層階側に向かって送り上げる。排水縦管洗浄装置２０においては、耐圧ホース１が直進性支持材４で支持されている。そのために、耐圧ホース１を撓ませずに、直立姿勢を維持したまま低層階側から上層階側に向かって容易に送り出すことができる。
【００３６】
図７の高圧水噴出ノズル２付近の拡大図に示すように、排水縦管Ｌの内壁面に固着したスラッジＳは、高圧水噴出ノズル２から噴射される高圧の水Ｗにより破壊される。高圧水噴出ノズル２は、排水縦管Ｌ内の低層階側から上層階側に送り出されながら、排水縦管Ｌ内を低層階側から上層階側に向かって清浄化していく。このように、排水縦管ＬのスラッジＳを低層階側から上層階側に向かって崩していくことにより、落下するスラッジＳが落下途上の固着したスラッジＳにせき止められ、その部分を閉塞させるような問題が生じなくなる。
【００３７】
図７に示すように、高圧水噴出ノズル２の近傍には高圧水噴出ノズル２付近の映像または画像を撮影するカメラ５が配設されている。カメラ５で撮影された映像や画像は、ケーブル５ａを介して接続されたモニター１１に表示される。作業者は、モニター１１の映像や画像を見ることにより、高圧水噴出ノズル２が到達した部分付近のスラッジＳの固着状態や洗浄結果を確認することができる。
【００３８】
そして、図７の高圧水噴出ノズル２付近の拡大図に示すように、排水縦管Ｌの内壁面に固着したスラッジＳは、高圧水噴出ノズル２からの高圧水の噴射により崩されて排水縦管Ｌを水Ｗとともに落下する。そして、落下するスラッジＳと水Ｗとは、図５に示すように、分岐管８の主路８ａと分岐路８ｂとの分岐点に達したときに、ブロアー９からの風により分岐路８ｂへ吹き飛ばされる。そして、分岐路８ｂから排出されたスラッジＳ及び水Ｗは、固液分離装置１０へ送られ、固液分離された後、処理される。
【００３９】
以上、本発明に係る排水縦管洗浄装置及び排水縦管洗浄方法の実施形態を詳しく説明したが、本発明に係る排水縦管洗浄装置及び排水縦管洗浄方法は上述した実施形態に限定されるものではなく、本発明の要旨を逸脱しない範囲において適宜変更して用いられてもよい。
【００４０】
例えば、上述した実施形態においては、分岐管８、ブロアー９及び固液分離装置１０を配設することにより、落下するスラッジＳと水Ｗとを分岐路８ｂへ吹き飛ばして固液分離装置１０へ送り固液分離して処理した。このような形態の代わりに、排水縦管Ｌが短かったり、直径が太かったりして、落下するスラッジＳと水Ｗによる悪影響が小さい場合には、図８に示すように、分岐管８、ブロアー９及び固液分離装置１０を省略した排水縦管洗浄装置３０のような形態を選択してもよい。このような場合には、設備構成をシンプルにすることができる点から好ましい。
【産業上の利用可能性】
【００４１】
本発明の排水縦管洗浄装置及びそれを用いた排水縦管洗浄方法は、高層建物に設置されている排水縦管において、内壁に大量のスラッジが固着して内径が小さくなっているような排水縦管を効率的に洗浄することができる。
【符号の説明】
【００４２】
１          耐圧ホース
２          高圧水噴出ノズル
３          高圧洗浄機
４          直進性支持材
５          カメラ
６          被覆管
７          送りローラ
８          分岐管
８ａ        主路
８ｂ        分岐路
８ｃ        送風路
８ｄ        止水シール
９          ブロアー
１０        固液分離装置
１１        モニター
２０，３０  排水縦管洗浄装置
Ｈ          高層建物
Ｌ          排水縦管
Ｗ          水
Ｓ            スラッジ
【要約】
【課題】高層建物に設置されている排水縦管において、内壁に大量のスラッジが固着して内径が小さくなっている排水縦管を効率的に洗浄するための排水縦管洗浄装置及びそれを用いた排水縦管洗浄方法を提供する。
【解決手段】高層建物の排水縦管の内壁に付着したスラッジを洗浄するための排水縦管洗浄装置であって、高圧水噴出ノズルを備える耐圧ホースと、耐圧ホースに沿って配される、直進性支持材と、排水縦管内で低層側から上層側に向かって、それらを挟持しながら送り上げる送りローラと、高圧水噴出ノズルから高圧水を噴射させるための高圧水洗浄機と、を備える排水縦管洗浄装置。
【選択図】図１【図１】
0005748251.tif 000002
【図２】
0005748251.tif 000003
【図３】
0005748251.tif 000004
【図４】
0005748251.tif 000005
【図５】
0005748251.tif 000006
【図６】
0005748251.tif 000007
【図７】
0005748251.tif 000008
【図８】
0005748251.tif 000009
【図９】
0005748251.tif 000010